(57)【要約】      （修正有）【課題】シートが汚れるのを防止しつつシート巻回体を容易に出し入れすることができる梱包体を提供する。【解決手段】円管状の紙管及び塩ビ管にセパレータが巻回されて塩ビ管の両端部がセパレータから突出しているセパレータ巻回体を収納する梱包体１１であって、セパレータ巻回体が収納される容器１２と、容器１２の両端部に設置される枕部材１４と、を有し、枕部材１４は、上方に開口が形成されて前記塩ビ管が載置支持される載置部を有する。【選択図】図２
2013075722.tif 000002
【特許請求の範囲】
【請求項１】
円管状の支持管にシート状物が巻回されて前記支持管の両端部が前記シート状物から突出しているシート巻回体を収納する梱包体であって、
前記シート巻回体が収納される容器と、
前記容器の両端部に設置される枕部材と、
を有し、
前記枕部材は、上方に開口が形成されて前記支持管が載置支持される載置部を有することを特徴とする梱包体。
【請求項２】
前記枕部材は、上方に開口されて前記支持管の端面に係止される係止部を更に有することを特徴とする請求項１に記載の梱包体。
【請求項３】
前記載置部の前記開口は、上方に向けて拡径されていることを特徴とする請求項１又は２に記載の梱包体。
【請求項４】
前記載置部の前記開口に挿入されて前記載置部に載置された前記支持管の移動を規制する移動規制部材を更に有することを特徴とする請求項１〜３の何れか一項に記載の梱包体。
【発明の詳細な説明】
【技術分野】
【０００１】
本発明は、円管状の支持管にシート状物が巻回されたシート巻回体を収納する梱包体に関する。
【背景技術】
【０００２】
一般に、リチウムイオン電池用のセパレータは、円管状の紙管に巻回されたセパレータ巻回体として構成されており、このセパレータ巻回体を搬送する際は、セパレータが汚れないようにセパレータ巻回体を梱包体に収納している（例えば、特許文献１参照）。
【先行技術文献】
【特許文献】
【０００３】
【特許文献１】特開２００８−１８９３７９号公報
【発明の概要】
【発明が解決しようとする課題】
【０００４】
しかしながら、セパレータが汚れるのを防止しつつ、梱包体からセパレータ巻回体を容易に出し入れしたいとの要望が高く、依然、この点において改善の余地があった。
【０００５】
そこで、本発明は、シートが汚れるのを防止しつつシート巻回体を容易に出し入れすることができる梱包体を提供することを目的とする。
【課題を解決するための手段】
【０００６】
本発明に係る梱包体は、円管状の支持管にシート状物が巻回されて支持管の両端部がシート状物から突出しているシート巻回体を収納する梱包体であって、シート巻回体が収納される容器と、容器の両端部に設置される枕部材と、を有し、枕部材は、上方に開口が形成されて支持管が載置支持される載置部を有することを特徴とする。
【０００７】
本発明に係る梱包体によれば、枕部材に巻回体を支持させることで、シート状物が容器に触れて汚れるのを防止しつつ、巻回体を容易に出し入れすることができる。
【０００８】
この場合、枕部材は、上方に開口されて支持管の端面に係止される係止部を更に有することが好ましい。これによりシート状物の収納を阻害することなく巻回体の軸線方向への移動を規制することができる。
【０００９】
また、載置部の開口は、上方に向けて拡径されていることが好ましい。これにより、巻回体を容易に載置部に載置させることができる。
【００１０】
また、載置部の開口に挿入されて載置部に載置された支持管の移動を規制する移動規制部材を更に有することが好ましい。これにより、巻回体の上下方向への移動を規制することができる。
【発明の効果】
【００１１】
本発明によれば、シートが汚れるのを防止しつつシート巻回体を容易に出し入れすることができる。
【図面の簡単な説明】
【００１２】
【図１】セパレータ巻回体の構成を示す斜視図である。
【図２】実施形態に係る梱包体の分解斜視図である。
【図３】蓋を取り外した状態の梱包体を示す平面図である。
【図４】図２に示す梱包体の部分拡大斜視図である。
【図５】図２に示す梱包体の断面図である。
【図６】容器にセパレータ巻回体を収納した状態を示す平面図である。
【図７】図６に示すＶＩＩ−ＶＩＩ線における断面図である。
【図８】図６の状態を示す斜視図である。
【図９】載置部に枕部材用蓋を取り付ける状態を示す断面図である。
【図１０】セパレータ巻回体が収納された容器に枕部材用蓋を取り付けた状態を示す平面図である。
【図１１】図１０の状態を示す斜視図である。
【発明を実施するための形態】
【００１３】
以下、図面を参照して、本発明に係る梱包体の好適な実施形態について詳細に説明する。本実施形態は、本発明に係る梱包体を、リチウムイオン電池用のセパレータが巻回されたセパレータ巻回体を収納する梱包体に適用したものである。なお、以下の説明では、梱包体の縦方向をＸ方向、梱包体の幅方向をＹ方向、梱包体の高さ方向をＺ方向という。また、全図中、同一又は相当部分には同一符号を付すこととする。
【００１４】
まず、本実施形態に係る梱包体を説明する前に、梱包体に収納されるセパレータ巻回体について説明する。
【００１５】
図１は、セパレータ巻回体の構成を示す斜視図である。図１に示すように、セパレータ巻回体１は、円管状に形成された第一の管２と、第一の管２の外周面に巻回されたリチウムイオン電池用のセパレータ３と、第一の管２の内側に嵌め込まれて円管状に形成された第二の管４と、を備えており、セパレータ３の軸線方向両端から紙管２が突出するとともに、第一の管２の軸線方向両端から第二の管４が突出している。そして、セパレータ３の周りには、防汚用のエアパックが巻かれている。なお、本実施形態では、第一の管２及び第二の管４は、それぞれ紙及び塩化ビニルで形成されたもの（以下、それぞれ「紙管２」、「塩ビ管４」ともいう。）として説明するが、その素材は特に限定されるものではない。これらの素材としては、例えば、紙、プラスチック、金属が挙げられる。第一の管２を形成する素材としては、金属が混入する可能性の低い紙またはプラスチックが好ましい。このようなプラスチックとしては、ＦＲＰ、ベークライト（フェノ−ル樹脂）等が挙げられる。また、第二の管４を形成する素材としては、繰り返し使用する際の耐久性からプラスチックが好ましい。このようなプラスチックとしては、塩化ビニル、ポリエチレンが挙げられ、規格品が入手容易なことから塩化ビニルが更に好ましい。また、本実施形態では、紙管２の内側に塩ビ管４が挿入された二重管構造であるものとして説明するが、紙管２のみの一重管構造であるものとしてもよい。また、図面では、第１の管２の内径と第２の管４の外径とが一致するように図示しているが、これらの径は必ずしも一致する必要はない。
【００１６】
図２は、実施形態に係る梱包体の分解斜視図である。図２に示すように、本実施形態に係る梱包体１１は、上方が開口された箱型に形成された容器１２と、容器１２の開口を塞ぐ蓋１３と、容器１２内に設置されて容器１２の両端部に配置される一対の枕部材１４と、各枕部材１４に取り付けられる枕部材用蓋１５と、を備えている。枕部材１４および枕部材用蓋１５としては、輸送時の振動からセパレータ巻回体１を守る緩衝性能、および積み重ねた際上部の荷重を支える強度の観点から、紙又はプラスチックの成型物を用いることが好ましい。これらの中でも、軽量で細部の加工が精密にできるプラスチック発泡体またはプラスチックダンボールの成型物が好ましく用いられる。プラスチック発泡体としては、高い圧縮強度を有するポリエチレン、ポリプロピレンの発泡ビーズ成型物が更に好ましい。これらの発泡体は圧縮強度が０．０５〜０．５ＭＰａであることが好ましく、０．１〜０．３ＭＰａであることがさらに好ましい。
【００１７】
容器１２は、セパレータ巻回体１の軸線方向がＸ方向に配置されるように、セパレータ巻回体１を収納するものであり、Ｘ方向に長い直方体に形成されている。この容器１２は、Ｘ方向両端部において対向配置される一対の短側壁１２ａと、Ｙ方向両端部において対向配置されて一対の短側壁１２ａと接続される一対の長側壁１２ｂと、一対の短側壁１２ａ及び一対の長側壁１２ｂに接続される底壁１２ｃと、を備えている。そして、セパレータ３が一対の長側壁１２ｂ、底壁１２ｃ及び蓋１３に接触しないように、容器１２の内寸法が、セパレータ巻回体１の外寸法よりも大きくなっている。容器１２を形成する素材としては、軽量、高強度、成形性の観点から紙製のダンボール、プラスチック製のダンボールが好ましく用いられる。特に、繰り返し使用時の耐久性からプラスチックダンボールが更に好ましい。
【００１８】
図３は、蓋を取り外した状態の梱包体を示す平面図である。図４は、図２に示す梱包体の部分拡大斜視図である。図５は、図２に示す梱包体の断面図である。図２〜図５に示すように、枕部材１４は、略同一断面でＸ方向に所定の厚みだけ延びており、Ｙ方向における幅が、一対の長側壁１２ｂの間隔とほぼ同じ寸法となっている。
【００１９】
この枕部材１４には、Ｙ方向における中央部に、下方に向けて凹状に窪んだ略Ｕ字状断面の載置部２１が形成されている。
【００２０】
載置部２１は、上方に開口されており、セパレータ巻回体１の塩ビ管４を宙吊り状態で載置支持する部材である。載置部２１には、セパレータ巻回体１の塩ビ管４の外径と略同じ幅に形成された矩形凹部２２と、矩形凹部２２の上側に配置されて、上方に向けて拡径された傾斜凹部２３と、が形成されている。矩形凹部２２は、セパレータ巻回体１の塩ビ管４が載置される部位である。矩形凹部２２は、塩ビ管４が載置された際に、セパレータ巻回体１のセパレータ３が容器１２の一対の長側壁１２ｂ、底壁１２ｃ及び蓋１３に接触しないように、Ｘ方向視において一対の短側壁１２ａの中央に配置されている。
【００２１】
載置部２１のＸ方向中央部には、ストッパー２４が嵌め込まれている。ストッパー２４は、セパレータ巻回体１のＸ方向への移動を規制する部材である。ストッパー２４は、上方に開口した凹状に形成された薄板であり、載置部２１にセパレータ巻回体１が載置された際に、塩ビ管４の中空内部を開口させつつ、塩ビ管４の端面を係止することができるように、載置部２１の矩形凹部２２及び傾斜凹部２３から突出している。
【００２２】
図２及び図５に示すように、枕部材用蓋１５は、矩形凹部２２を正方形の開口とするように載置部２１を塞いで、セパレータ巻回体１のＺ方向への移動を規制する部材である。枕部材用蓋１５は、載置部２１の傾斜凹部２３と、蓋１３と、に接触する形状となっている。枕部材用蓋１５のＸ方向における厚みは、少なくとも、載置部２１の内側端縁からストッパー２４に至る寸法であればよく、例えば、載置部２１と同じ厚みであってもよい。
【００２３】
次に、梱包体１１に対するセパレータ巻回体１の収納方法について説明する。
【００２４】
図６は、容器にセパレータ巻回体を収納した状態を示す平面図である。図７は、図６に示すＶＩＩ−ＶＩＩ線における断面図である。図８は、図６の状態を示す斜視図である。図６〜図８に示すように、まず、容器１２から蓋１３及び一対の枕部材用蓋１５を取り外して、容器１２の両端部に一対の枕部材１４が設置された状態にし、セパレータ巻回体１を容器１２に挿入して塩ビ管４の両端部を枕部材１４の載置部２１に挿入する。
【００２５】
このとき、載置部２１の傾斜凹部２３が上方に向けて拡径された傾斜面となっていることから、載置部２１の間口が広く、しかも、傾斜凹部２３に挿入された塩ビ管４が矩形凹部２２にガイドされるため、容易に、塩ビ管４を載置部２１に挿入することができる。また、ストッパー２４が上方に開口した凹状に形成されていることから、ストッパー２４と短側壁１２ａとの間に作業者の手や搬送装置のアームを挿入しながら塩ビ管４を載置部２１に挿入することができるため、容易に、塩ビ管４を載置部２１に挿入することができる。
【００２６】
そして、塩ビ管４が矩形凹部２２まで挿入されると、塩ビ管４の側面が三方から矩形凹部２２に当接されるとともに、塩ビ管４の両端縁がストッパー２４に当接される。これにより、セパレータ巻回体１のＹ方向の移動が規制されるとともに、セパレータ巻回体１のＸ方向の移動が規制される。
【００２７】
図９は、載置部に枕部材用蓋を取り付ける状態を示す断面図である。図１０は、セパレータ巻回体が収納された容器に枕部材用蓋を取り付けた状態を示す平面図である。図１１は、図１０の状態を示す斜視図である。図９〜図１１に示すように、セパレータ巻回体１が載置部２１に載置されると、枕部材用蓋１５を載置部２１に取り付け、塩ビ管４に枕部材用蓋１５を当接させる。そして、容器１２に蓋１３を被せることで、セパレータ巻回体１のＺ方向の移動が規制される。
【００２８】
以上説明したように、本実施形態に係る梱包体１１によれば、枕部材１４にセパレータ巻回体１の塩ビ管４を支持させることで、セパレータ３が容器１２及び蓋１３に触れて汚れるのを防止しつつ、セパレータ巻回体１を容易に出し入れすることができる。
【００２９】
以上、本発明の好適な実施形態について説明したが、本発明は上記実施形態に限定されるものではない。例えば、上記実施形態では、セパレータが第１の管（紙管）及び第２の管（塩ビ管）に巻回されて当該塩ビ管が枕部材に載置支持されるものとして説明したが、セパレータが紙管のみに巻回されて当該紙管が枕部材に載置支持されるものであってもよい。
【符号の説明】
【００３０】
１…セパレータ巻回体（巻回体）、２…紙管、３…セパレータ（シート状物）、４…塩ビ管、１１…梱包体、１２…容器、１２ａ…短側壁、１２ｂ…長側壁、１２ｃ…底壁、１３…蓋、１４…枕部材、１５…枕部材用蓋（移動規制部材）、２１…載置部、２２…矩形凹部、２３…傾斜凹部、２４…ストッパー（係止部）。
【図１】
2013075722.tif 000003
【図２】
2013075722.tif 000004
【図３】
2013075722.tif 000005
【図４】
2013075722.tif 000006
【図５】
2013075722.tif 000007
【図６】
2013075722.tif 000008
【図７】
2013075722.tif 000009
【図８】
2013075722.tif 000010
【図９】
2013075722.tif 000011
【図１０】
2013075722.tif 000012
【図１１】
2013075722.tif 000013